(57)【特許請求の範囲】
【請求項１】
軒樋の上端部に外方に突出した耳部を備え、接続される軒樋の端部間の外面に耳部も含めて継手を外嵌する軒樋の接続構造であって、耳部の下面部を受ける継手の受面に排水溝を形成すると共に該排水溝の途中に継手の底部外面に貫通する排水孔を形成して成ることを特徴とする軒樋の接続構造。
【請求項２】
継手の底部の受面が外方に下り傾斜するとともに排水溝を最下部に形成して成ることを特徴とする請求項１記載の軒樋の接続構造。
【請求項３】
耳部の下面部に突条を形成し、耳部の上端部に継手の上端部を係止するとともに突条を排水溝に係入して成ることを特徴とする請求項１記載の軒樋の接続構造。
【発明の詳細な説明】
【０００１】
【発明の属する技術分野】
本発明は、軒樋の接続構造に関し、詳しくは、軒樋の接続箇所において漏水を長く溜めることによる問題を防止しようとする技術に係るものである。
【０００２】
【従来の技術】
従来、軒樋の上端部に外方に突出した耳部を備え、接続される軒樋の端部間の外面に耳部も含めて継手を外嵌する軒樋の接続構造においては、耳部の突き合せ縁からも漏水するのであり、このような箇所からの漏水が長い時間溜まり、ごみとともに流れ出て継手の前面を汚すなどという問題があった。
【０００３】
【発明が解決しようとする課題】
本発明はこのような問題に鑑みてなされたものであり、軒樋の接続箇所において漏水を長く溜めることによる問題を防止して、継手の外面が汚されるのを防止することができる軒樋の接続構造を提供することを課題とするものである。
【０００４】
【課題を解決するための手段】
請求項１においては、軒樋１，２の上端部に外方に突出した耳部３を備え、接続される軒樋１，２の端部間の外面に耳部３も含めて継手４を外嵌する軒樋の接続構造であって、耳部３の下面部３ａを受ける継手４の受面４ａに排水溝５を形成していることを特徴とするものである。このような構成によれば、耳部３，３の突き合せ縁からの漏水は継手４の受面４ａに形成した排水溝５から排水することができ、漏水が耳部３の下面部３ａと継手４の受面４ａとの間に長い時間貯留されてごみとともに流れ出て継手４の外面を汚すことを防止することができる。
【０００５】
さらに上記排水溝５の途中に底部外面に貫通する排水孔６を形成していることを特徴とするものである。このような構成によれば、排水溝５内の漏水を排水孔６から排水することができ、漏水を貯留することを殆どなくすことができ、一層、継手４の外面を汚すことを防止することができる。
【０００６】
請求項２においては、継手４の底部の受面４ａが外方に下り傾斜するとともに排水溝５を最下部に形成していることを特徴とするものである。このような構成によれば、継手４の受面４ａ上の漏水を排水溝５へと流入させることができ、受面４ａに漏水が滞留することがなく、一層、継手４の外面を汚すことを防止することができる。
【０００７】
請求項３においては、耳部３の下面部３ａに突条７を形成し、耳部３の上端部に継手４の上端部を係止するとともに突条３ａを排水溝５に係入してあることを特徴とするものである。このような構成によれば、継手４を耳部３の上端部に係止し、耳部３の突条７を排水溝５に係止することで、上下における２点係止にできて継手４の接続強度を高めることができる。
【０００８】
【発明の実施の形態】
以下、本発明の基本構成を説明する。図１（ａ）は破断した斜視図、（ｂ）は全体断面図である。
【０００９】
軒樋１は断面略角形に形成され、屋内外の側壁８，８の上端部に外方に突出した耳部３を備えている。継手４は、その内形形状が軒樋１の外形形状に略等しくしてあって、略一定の肉厚のものであり、例えば、樹脂成形品である。しかして、接続される軒樋１，２の端部間の外面に耳部３も含めて継手４を外嵌して軒樋１，２を接続するのである。軒樋１の耳部３の上端部には係止凹所９が形成され、継手４にはフック部１０が形成され、フック部１０を係止凹所９に係止することで、継手４を軒樋１，２に係止連結するものである。
【００１０】
継手４においては、耳部３の下面部３ａを受ける継手４の受面４ａに排水溝５を受面４ａの全長に形成している。
【００１１】
このような構成によれば、耳部３，３の突き合せ縁からの漏水は継手４の受面４ａに形成した排水溝５から排水することができるのであり、漏水が耳部３の下面部３ａと継手４の受面４ａとの間に長い時間貯留されてごみとともに流れ出て継手４の外面を汚すことを防止するのである。
【００１２】
図２は本発明の実施の形態を示し、排水溝５の途中に底部外面に貫通する排水孔６を形成したものである。
【００１３】
本実施の形態においては、排水溝５内の漏水を排水孔６から排水することができ、漏水を貯留することを殆どなくすことができ、一層、継手４の外面を汚すことを防止することができる。
【００１４】
更に本実施の形態においては、継手４の底部の受面４ａが外方に下り傾斜するとともに排水溝５を最下部に形成していて、継手４の受面４ａ上の漏水を排水溝５へと流入させることができ、受面４ａに漏水が滞留することがなく、一層、継手４の外面を汚すことを防止することができるのである。
【００１５】
図３は更に他の実施の形態を示し、本実施の形態においては、耳部３の下面部３ａに突条７を形成し、耳部３の上端部に継手４の上端部を係止するとともに突条３ａを排水溝５に係入するものである。このような係入状態においても浅い排水溝５が形成される。
【００１６】
本実施の形態においては、継手４を耳部３の上端部に係止し、耳部３の突条７を排水溝５に係止することで、上下における２点係止にできて継手４の接続強度を高めることができるのである。
【００１７】
【発明の効果】
請求項１においては、軒樋の上端部に外方に突出した耳部を備え、接続される軒樋の端部間の外面に耳部も含めて継手を外嵌する軒樋の接続構造であって、耳部の下面部を受ける継手の受面に排水溝を形成しているから、耳部の突き合せ縁からの漏水は継手の受面に形成した排水溝から排水することができ、漏水が耳部の下面部と継手の受面との間に長い時間貯留されてごみとともに流れ出て継手の外面を汚すことを防止することができるという利点がある。
【００１８】
さらに上記排水溝の途中に底部外面に貫通する排水孔を形成してあるから、排水溝内の漏水を排水孔から排水することができ、漏水を貯留することを殆どなくすことができ、一層、継手の外面を汚すことを防止することができるという利点がある。
【００１９】
請求項２においては、継手の底部の受面が外方に下り傾斜するとともに排水溝を最下部に形成しているから、請求項１の効果に加えて、継手の受面上の漏水を排水溝へと流入させることができ、受面に漏水が滞留することがなく、一層、継手の外面を汚すことを防止することができるという利点がある。
【００２０】
請求項３においては、耳部の下面部に突条を形成し、耳部の上端部に継手の上端部を係止するとともに突条を排水溝に係入してあるから、請求項１の効果に加えて、継手を耳部の上端部に係止し、耳部の突条を排水溝に係止することで、上下における２点係止にできて継手の接続強度を高めることができるという利点がある。
【図面の簡単な説明】
【図１】  本発明の基本構成を示し、（ａ）は破断した斜視図、（ｂ）は全体断面図である。
【図２】  本発明の実施の形態を示し、（ａ）は部分断面図、（ｂ）は部分平面図である。
【図３】  同上の他の実施の形態を示す部分断面図である。
【符号の説明】
１  軒樋
２  軒樋
３  耳部
３ａ  下面部
４  継手
４ａ  受面
５  排水溝
６  排水孔
７  突条
【図１】
0004265051.tif 000002
【図２】
0004265051.tif 000003
【図３】
0004265051.tif 000004